【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
第１のサブフレームにおいて、第１のスケジューリング割当（ＳＡ）情報を送信することと、
前記第１のサブフレームにおいて、第１のデータを送信することと、
第２のサブフレームにおいて、第２のＳＡ情報を送信することと、
前記第２のサブフレームにおいて、第２のデータを送信することと
を備え、
ここにおいて、前記第１のＳＡ情報は、前記第１のデータおよび前記第２のデータのスケジューリング情報を含み、
前記第２のＳＡ情報は、前記第２のデータのスケジューリング情報を含み、前記方法は、前記第２のデータが前記第１のデータの冗長コピーであることによって特徴付けられる、方法。
【請求項２】
第３のサブフレームにおいて、第３のＳＡ情報を送信することと、
前記第３のサブフレームにおいて、第３のデータを送信することと、
第４のサブフレームにおいて、第４のＳＡ情報を送信することと、
前記第４のサブフレームにおいて、第４のデータを送信することと
をさらに備え、
ここにおいて、前記第１のＳＡ情報はさらに、前記第３のデータおよび前記第４のデータに関する情報を含み、
前記第２のＳＡ情報はさらに、前記第３のデータおよび前記第４のデータに関する情報を含み、
前記第３のＳＡ情報は、前記第３のデータおよび前記第４のデータに関する情報を含み、
前記第４のＳＡ情報は、前記第４のデータに関する情報を含む、請求項１に記載の方法。
【請求項３】
前記第１のＳＡ情報は、前記第１のデータが送信される第１の時間、前記第１のデータが送信される第１の周波数、前記第１のデータのロケーション、前記第１のデータの変調、前記第１のデータのコーディングスキーム、前記第２のデータが送信される第２の時間、前記第２のデータが送信される第２の周波数、前記第２のデータのロケーション、前記第２のデータの変調、または、前記第２のデータのコーディングスキームのうちの少なくとも１つを含む、請求項１に記載の方法。
【請求項４】
前記第２のＳＡ情報は、前記第２のデータが送信される時間、前記第２のデータが送信される周波数、前記第２のデータのロケーション、前記第２のデータの変調、または、前記第２のデータのコーディングスキームのうちの少なくとも１つを含む、請求項１に記載の方法。
【請求項５】
前記第１のＳＡ情報または前記第２のＳＡ情報のうちの少なくとも１つのための時間スロットをランダムに選択することをさらに備える、請求項１に記載の方法。
【請求項６】
前記第１のＳＡ情報はさらに、前記第１のＳＡ情報の現在の送信番号のインジケータを含み、前記第２のＳＡ情報はさらに、前記第２のＳＡ情報の現在の送信番号のインジケータを含む、請求項１に記載の方法。
【請求項７】
前記第１のＳＡ情報はさらに、第１のタイミング情報を含み、前記第２のＳＡ情報はさらに、第２のタイミング情報を含む、請求項１に記載の方法。
【請求項８】
前記第１のタイミング情報は、第１のシステムフレーム番号（ＳＦＮ）を備え、前記第２のタイミング情報は、第２のＳＦＮを備える、請求項７に記載の方法。
【請求項９】
ワイヤレス通信のための装置であって、
第１のサブフレームにおいて、第１のスケジューリング割当（ＳＡ）情報を送信するための手段と、
前記第１のサブフレームにおいて、第１のデータを送信するための手段と、
第２のサブフレームにおいて、第２のＳＡ情報を送信するための手段と、
前記第２のサブフレームにおいて、第２のデータを送信するための手段と
を備え、
ここにおいて、前記第１のＳＡ情報は、前記第１のデータおよび前記第２のデータのスケジューリング情報を含み、
前記第２のＳＡ情報は、前記第２のデータのスケジューリング情報を含み、前記第２のデータが前記第１のデータの冗長コピーであることによって特徴付けられる、装置。
【請求項１０】
第３のサブフレームにおいて、第３のＳＡ情報を送信するための手段と、
前記第３のサブフレームにおいて、第３のデータを送信するための手段と、
第４のサブフレームにおいて、第４のＳＡ情報を送信するための手段と、
前記第４のサブフレームにおいて、第４のデータを送信するための手段と
をさらに備え、
ここにおいて、前記第１のＳＡ情報はさらに、前記第１のデータ、前記第２のデータ、前記第３のデータ、および前記第４のデータに関する情報を含み、
前記第２のＳＡ情報はさらに、前記第２のデータ、前記第３のデータ、および前記第４のデータに関する情報を含み、
前記第３のＳＡ情報は、前記第３のデータおよび前記第４のデータに関する情報を含み、
前記第４のＳＡ情報は、前記第４のデータに関する情報を含む、請求項９に記載の装置。
【請求項１１】
前記第１のＳＡ情報は、前記第１のデータが送信される第１の時間、前記第１のデータが送信される第１の周波数、前記第１のデータのロケーション、前記第１のデータの変調、前記第１のデータのコーディングスキーム、前記第２のデータが送信される第２の時間、前記第２のデータが送信される第１の周波数、前記第２のデータのロケーション、前記第２のデータの変調、または、前記第２のデータのコーディングスキームのうちの少なくとも１つを含む、請求項９に記載の装置。
【請求項１２】
前記第２のＳＡ情報は、前記第２のデータが送信される時間、前記第２のデータが送信される周波数、前記第２のデータのロケーション、前記第２のデータの変調、または、前記第２のデータのコーディングスキームのうちの少なくとも１つを含む、請求項９に記載の装置。
【請求項１３】
前記第１のＳＡ情報はさらに、前記第１のＳＡ情報の現在の送信番号のインジケータを含み、前記第２のＳＡ情報はさらに、前記第２のＳＡ情報送信の現在の送信番号のインジケータを含む、請求項９に記載の装置。
【請求項１４】
ワイヤレス通信装置におけるプロセッサによって実行されるとき、前記ワイヤレス通信装置に、請求項１〜８のうちのいずれか一項に記載の方法を実行させるワイヤレス通信のためのコンピュータ実行可能なコードを記憶するコンピュータ読取可能な媒体。
【手続補正２】
【補正対象書類名】明細書
【補正対象項目名】００７７
【補正方法】変更
【補正の内容】
【００７７】
[0086]以前の説明は、当業者が、本明細書で説明された様々な態様を実現することを可能にするために提供される。これら態様に対する様々な修正は、当業者へ容易に明白になるであろう。そして、本明細書で定義された一般的な原理は、他の態様へ適用され得る。したがって、特許請求の範囲は、本明細書に示された態様に限定されるとは意図されず、特許請求の範囲の文言と整合した全範囲を与えられるものとし、ここにおいて、単数形における要素への参照が、そうであると具体的に述べられていないのであれば、「１つおよび１つのみ」を意味することは意図されておらず、むしろ「１つまたは複数」を意味することが意図される。「典型的」という用語は、「例、事例、または例示として役立つ」ことを意味するために本明細書で使用される。「典型的」として本明細書で説明されたいずれの態様も、他の態様よりも好適または有利であると必ずしも解釈される必要はない。特に明記されていない限り、「いくつか」という用語は、１つまたは複数を称する。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および、「Ａ、Ｂ、Ｃ」のような組合せ、または、これらの任意の組合せは、Ａ、Ｂ、および／またはＣからなる任意の組合せを含み、Ａの倍数、Ｂの倍数、またはＣの倍数を含み得る。具体的に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ」のような組合せ、または、これらの任意の組合せは、Ａのみ、Ｂのみ、Ｃのみ、ＡおよびＢ、ＡおよびＣ、ＢおよびＣ、または、ＡとＢとＣであり得、このようなどの組合せも、Ａ、Ｂ、またはＣのうちの１つまたは複数のメンバを含み得る。当業者に知られているか、または、後に知られるようになるこの開示を通じて説明された様々な態様の要素に対するすべての構造的および機能的な等価物が、参照によって本明細書に明確に組み込まれており、特許請求の範囲に包含されると意図される。さらに、本明細書で開示されたいずれも、このような開示が特許請求の範囲において明示的に述べられているか否かに関わらず、公衆に対してささげられたものとは意図されていない。「モジュール」、「メカニズム」、「要素」、「デバイス」等の用語は、「手段」という用語を代替しないことがある。このため、どの特許請求の範囲の要素も、「ための手段」という文言を使用して明確に記述されていないのであれば、ミーンズプラスファンクションとして解釈されるべきではない。
以下に本願の出願当初の特許請求の範囲に記載された発明を付記する。
［Ｃ１］
ワイヤレス通信の方法であって、
第１のサブフレームにおいて、第１のスケジューリング割当（ＳＡ）情報を送信することと、
前記第１のサブフレームにおいて、第１のデータを送信することと、
第２のサブフレームにおいて、第２のＳＡ情報を送信することと、
前記第２のサブフレームにおいて、第２のデータを送信することと
を備え、
ここにおいて、前記第１のＳＡ情報は、前記第１のデータおよび前記第２のデータに関する情報を含み、
前記第２のＳＡ情報は、前記第２のデータに関する情報を含む、方法。
［Ｃ２］
第３のサブフレームにおいて、第３のＳＡ情報を送信することと、
前記第３のサブフレームにおいて、第３のデータを送信することと、
第４のサブフレームにおいて、第４のＳＡ情報を送信することと、
前記第４のサブフレームにおいて、第４のデータを送信することと
をさらに備え、
ここにおいて、前記第１のＳＡ情報はさらに、前記第３のデータおよび前記第４のデータに関する情報を含み、
前記第２のＳＡ情報はさらに、前記第３のデータおよび前記第４のデータに関する情報を含み、
前記第３のＳＡ情報は、前記第３のデータおよび前記第４のデータに関する情報を含み、
前記第４のＳＡ情報は、前記第４のデータに関する情報を含む、Ｃ１に記載の方法。
［Ｃ３］
前記第１のＳＡ情報は、前記第１のデータが送信される第１の時間、前記第１のデータが送信される第１の周波数、前記第１のデータのロケーション、前記第１のデータの変調、前記第１のデータのコーディングスキーム、前記第２のデータが送信される第２の時間、前記第２のデータが送信される第２の周波数、前記第２のデータのロケーション、前記第２のデータの変調、または、前記第２のデータのコーディングスキームのうちの少なくとも１つを含む、Ｃ１に記載の方法。
［Ｃ４］
前記第２のＳＡ情報は、前記第２のデータが送信される時間、前記第２のデータが送信される周波数、前記第２のデータのロケーション、前記第２のデータの変調、または、前記第２のデータのコーディングスキームのうちの少なくとも１つを含む、Ｃ１に記載の方法。
［Ｃ５］
前記第１のＳＡ情報または前記第２のＳＡ情報のうちの少なくとも１つのための時間スロットをランダムに選択することをさらに備える、Ｃ１に記載の方法。
［Ｃ６］
前記第２のデータは、前記第１のデータのインクリメント冗長である、Ｃ１に記載の方法。
［Ｃ７］
前記第２のデータは、前記第１のデータの冗長コピーである、Ｃ１に記載の方法。
［Ｃ８］
前記第１のＳＡ情報はさらに、前記第１のＳＡ情報の現在の送信番号のインジケータを含み、前記第２のＳＡ情報はさらに、前記第２のＳＡ情報の現在の送信番号のインジケータを含む、Ｃ１に記載の方法。
［Ｃ９］
前記第１のＳＡ情報はさらに、第１のタイミング情報を含み、前記第２のＳＡ情報はさらに、第２のタイミング情報を含む、Ｃ１に記載の方法。
［Ｃ１０］
前記第１のタイミング情報は、第１のシステムフレーム番号（ＳＦＮ）を備え、前記第２のタイミング情報は、第２のＳＦＮを備える、Ｃ９に記載の方法。
［Ｃ１１］
ワイヤレス通信のための装置であって、
第１のサブフレームにおいて、第１のスケジューリング割当（ＳＡ）情報を送信するための手段と、
前記第１のサブフレームにおいて、第１のデータを送信するための手段と、
第２のサブフレームにおいて、第２のＳＡ情報を送信するための手段と、
前記第２のサブフレームにおいて、第２のデータを送信するための手段と
を備え、
ここにおいて、前記第１のＳＡ情報は、前記第１のデータおよび前記第２のデータに関する情報を含み、
前記第２のＳＡ情報は、前記第２のデータに関する情報を含む、装置。
［Ｃ１２］
第３のサブフレームにおいて、第３のＳＡ情報を送信するための手段と、
前記第３のサブフレームにおいて、第３のデータを送信するための手段と、
第４のサブフレームにおいて、第４のＳＡ情報を送信するための手段と、
前記第４のサブフレームにおいて、第４のデータを送信するための手段と
をさらに備え、
ここにおいて、前記第１のＳＡ情報はさらに、前記第１のデータ、前記第２のデータ、前記第３のデータ、および前記第４のデータに関する情報を含み、
前記第２のＳＡ情報はさらに、前記第２のデータ、前記第３のデータ、および前記第４のデータに関する情報を含み、
前記第３のＳＡ情報は、前記第３のデータおよび前記第４のデータに関する情報を含み、
前記第４のＳＡ情報は、前記第４のデータに関する情報を含む、Ｃ１１に記載の装置。
［Ｃ１３］
前記第１のＳＡ情報は、前記第１のデータが送信される第１の時間、前記第１のデータが送信される第１の周波数、前記第１のデータのロケーション、前記第１のデータの変調、前記第１のデータのコーディングスキーム、前記第２のデータが送信される第２の時間、前記第２のデータが送信される第１の周波数、前記第２のデータのロケーション、前記第２のデータの変調、または、前記第２のデータのコーディングスキームのうちの少なくとも１つを含む、Ｃ１１に記載の装置。
［Ｃ１４］
前記第２のＳＡ情報は、前記第２のデータが送信される時間、前記第２のデータが送信される周波数、前記第２のデータのロケーション、前記第２のデータの変調、または、前記第２のデータのコーディングスキームのうちの少なくとも１つを含む、Ｃ１１に記載の装置。
［Ｃ１５］
前記第１のＳＡ情報または前記第２のＳＡ情報のうちの少なくとも１つのための時間スロットをランダムに選択するための手段をさらに備える、Ｃ１１に記載の装置。
［Ｃ１６］
前記第２のデータは、前記第１のデータのインクリメント冗長である、Ｃ１１に記載の装置。
［Ｃ１７］
前記第２のデータは、前記第１のデータの冗長コピーである、Ｃ１１に記載の装置。
［Ｃ１８］
前記第１のＳＡ情報はさらに、前記第１のＳＡ情報の現在の送信番号のインジケータを含み、前記第２のＳＡ情報はさらに、前記第２のＳＡ情報送信の現在の送信番号のインジケータを含む、Ｃ１１に記載の装置。
［Ｃ１９］
前記第１のＳＡ情報はさらに、第１のタイミング情報を含み、前記第２のＳＡ情報はさらに、第２のタイミング情報を含む、Ｃ１１に記載の装置。
［Ｃ２０］
前記第１のタイミング情報は、第１のシステムフレーム番号（ＳＦＮ）を備え、前記第２のタイミング情報は、第２のＳＦＮを備える、Ｃ１９に記載の装置。
［Ｃ２１］
ワイヤレス通信のための装置であって、
メモリと、
前記メモリに結合され、
第１のサブフレームにおいて、第１のスケジューリング割当（ＳＡ）情報を送信することと、
前記第１のサブフレームにおいて、第１のデータを送信することと、
第２のサブフレームにおいて、第２のＳＡ情報を送信することと、
前記第２のサブフレームにおいて、第２のデータを送信することと
を行うように構成された少なくとも１つのプロセッサと
を備え、
ここにおいて、前記第１のＳＡ情報は、前記第１のデータおよび前記第２のデータに関する情報を含み、
前記第２のＳＡ情報は、前記第２のデータに関する情報を含む、装置。
［Ｃ２２］
前記少なくとも１つのプロセッサはさらに、
第３のサブフレームにおいて、第３のＳＡ情報を送信することと、
前記第３のサブフレームにおいて、第３のデータを送信することと、
第４のサブフレームにおいて、第４のＳＡ情報を送信することと、
前記第４のサブフレームにおいて、第４のデータを送信することと
を行うように構成され、
ここにおいて、前記第１のＳＡ情報はさらに、前記第１のデータ、前記第２のデータ、前記第３のデータ、および前記第４のデータに関する情報を含み、
前記第２のＳＡ情報はさらに、前記第２のデータ、前記第３のデータ、および前記第４のデータに関する情報を含み、
前記第３のＳＡ情報は、前記第３のデータおよび前記第４のデータに関する情報を含み、
前記第４のＳＡ情報は、前記第４のデータに関する情報を含む、Ｃ２１に記載の装置。
［Ｃ２３］
前記第１のＳＡ情報は、前記第１のデータが送信される第１の時間、前記第１のデータが送信される第１の周波数、前記第１のデータが送信される第１のロケーション、前記第１のデータの変調、前記第１のデータのコーディングスキーム、前記第２のデータの時間、前記第２のデータが送信される第２の周波数、前記第２のデータが送信される第２のロケーション、前記第２のデータの変調、または、前記第２のデータのコーディングスキームのうちの少なくとも１つを含む、Ｃ２１に記載の装置。
［Ｃ２４］
前記第２のＳＡ情報は、前記第２のデータが送信される時間、前記第２のデータが送信される周波数、前記第２のデータのロケーション、前記第２のデータの変調、または、前記第２のデータのコーディングスキームのうちの少なくとも１つを含む、Ｃ２１に記載の装置。
［Ｃ２５］
前記少なくとも１つのプロセッサはさらに、前記第１のＳＡ情報または前記第２のＳＡ情報のうちの少なくとも１つのための時間スロットをランダムに選択するように構成される、Ｃ２１に記載の装置。
［Ｃ２６］
前記第２のデータは、前記第１のデータのインクリメント冗長である、Ｃ２１に記載の装置。
［Ｃ２７］
前記第２のデータは、前記第１のデータの冗長コピーである、Ｃ２１に記載の装置。
［Ｃ２８］
前記第１のＳＡ情報はさらに、前記第１のＳＡ情報の現在の送信番号のインジケータを含み、前記第２のＳＡ情報はさらに、前記第２のＳＡ情報送信の現在の送信番号のインジケータを含む、Ｃ２１に記載の装置。
［Ｃ２９］
前記第１のＳＡ情報はさらに、第１のタイミング情報を含み、前記第２のＳＡ情報はさらに、第２のタイミング情報を含む、Ｃ２１に記載の装置。
［Ｃ３０］
ワイヤレス通信のためのコンピュータ実行可能なコードを記憶するコンピュータ読取可能な媒体であって、
第１のサブフレームにおいて、第１のスケジューリング割当（ＳＡ）情報を送信することと、
前記第１のサブフレームにおいて、第１のデータを送信することと、
第２のサブフレームにおいて、第２のＳＡ情報を送信することと、
前記第２のサブフレームにおいて、第２のデータを送信することと
を行うためのコードを備え、
ここにおいて、前記第１のＳＡ情報は、前記第１のデータおよび前記第２のデータに関する情報を含み、
前記第２のＳＡ情報は、前記第２のデータに関する情報を含む、コンピュータ読取可能な媒体。